(57)【要約】      （修正有）【課題】大型引戸を分割して施工を容易にすることができる大型引戸パネルを提供する。【解決手段】分割状態で引戸パネルを吊り込みした後に一体化して大型引戸パネル４に構成できるようにするため、各分割引戸パネル１６，１７の上辺両端に吊金具を設け、分割パネルの突合せ部には接続枠１８を設けるとともに、床に設置した振れ止め部材６，７に案内される枠を大型引戸パネルの巾と同一長さとし、分割引戸パネルの下端と床面との隙間から配設できるようにした。【選択図】図２
2015158068.tif 000002
【特許請求の範囲】
【請求項１】
床レールを有さず、開口の左右下端にガイド部材を配設する大型の上吊引戸において、大型引戸パネルは縦割りに分割された分割引戸パネルからなり、各分割引戸パネルの上辺両端に吊金具を設け、分割引戸パネルの突合せ面には接続枠が設けられており、各分割引戸パネルの下辺にはガイド部材に案内される大型引戸パネルの巾と同一長さでかつ分割引戸パネルと床面との隙間から配設できるガイド枠を設けたことを特徴とする大型引戸パネル。
【請求項２】
請求項１記載の大型引戸パネルにおいて、
分割引戸パネルは吊り下げられた状態で下辺は下方に開く略コ字状断面とし、該断面の下端両端部には分割引戸パネルと床面の隙間よりも低い高さの略コ字状のガイド枠が嵌入配設されることを特徴とする大型引戸パネル。
【請求項３】
請求項１または請求項２記載の大型引戸パネルにおいて、各分割引戸パネルをレールに吊り込みした状態において各分割引戸パネルを突合わせて接続枠により接続するとともにガイド枠を設置することを特徴とする大型引戸パネルの施工方法。
【発明の詳細な説明】
【技術分野】
【０００１】
本発明は、複数枚の分割パネルを連結して構成する大型の上吊り引戸で床にガイドレールを有さず振れ止め部材が引戸パネル内方に配設されている大型引戸の構造とその施工方法に係り、特にクリーンルーム等で利用されるものとして十分な作業場所が無い場合においても組立てが容易にできるものに関する。
また、組立ておよび設置における、施工作業を容易にすることができるように工夫したものに関する。
【背景技術】
【０００２】
通常にサンドイッチパネルで構成される引戸パネルの場合、表面に貼着するスチール板のサイズが足りずに引戸パネルを分割して繋ぎ合わせることがあるとともに大型化した引戸パネルを施工場所に搬入できない場合もあり引戸パネルを分割した状態で搬入して、施工場所において組立てることがある。
また、クリーンルーム等での仕様において開口の床面に埃などが溜まらないように床レール等を設置しない構成とされている。
【０００３】
そこで、出願人においては図７および図８に示すように縦割りに分割した引戸パネルａ、ｂを断面がＨ形状の枠ｃに差込み連結して、振れ止め部材ｉに差し込めるような略Ω状のガイド枠ｄを引戸パネルａ、ｂの底辺となる面に下方に開いた略コ字状のフレーム枠ｇに差込み配設して引戸パネルａ、ｂの底面（床面に相対する面）にネジ固定するとともに、パッキンを板材で押えるようにフレーム枠にネジ固定して大型引戸パネルに構成した後に振れ止め部材ｉがガイド枠ｄに差し込まれるように上吊レールに吊り込み施工していた。
【０００４】
また、他では大型引戸パネルを上下に分割し、下方パネルの下辺にはガイド溝が形成されており、各引戸パネルをボルトとナットで締結して一体化することができるものがある（特許文献１参照）。
【先行技術文献】
【特許文献】
【０００５】
【特許文献１】特開平１１−０５０７５６号公報
【発明の概要】
【発明が解決しようとする課題】
【０００６】
上記従来の構成によると、次のような問題があった。
先ず、分割した引戸パネルａ、ｂは上吊レールに吊り込み施工する前に床に置いた状態で突合せて接続枠ｃを介して接続されるとともに、上辺は化粧枠ｅで接続して吊金具ｆ，ｆを取付け、さらにガイド枠ｄを突き合わせたパネルａ、ｂの下辺に取付けて一体化しており（図７参照）、施工場所に引戸パネルを置くことができる広いスペースが必要となる。さらに、一体化した後に施工しようとすると重量があるとともに取扱いが困難となるために施工作業が容易ではない。
【０００７】
仮に、分割した各引戸パネルａ、ｂの上辺両端に分割した化粧枠ｅとともに吊金具ｆを設けた状態で上吊レールに設置した後に一体化させようとしても、ガイド枠の高さｈ2や巾ｈ3が引戸パネルａ、ｂと床面との設定隙間ｈ1より大きいため配設することができないとともに下方よりネジで確実な固定することができない（図８参照）。
【０００８】
なお、設定隙間ｈ1を大きくすることは、振れ止め部材への負荷が大きくなるとともに、広すぎる隙間は意匠的にも好ましいものではない。
【０００９】
また、ガイド枠ｄも分割した化粧枠ｅと同様に分割して予め取付けておくとガイド枠ｄの突合せ部には微小ながら段差が生じるため、振れ止め部材を通過する際に引掛かりや抵抗あるいは磨耗による粉塵の発生が懸念される。
【００１０】
また、特許文献１のような大型引戸パネルの構成においては、上下において分割しており、上記課題と同様に上吊レールに施工する前に突合せ面においてボルトとナットで締結しなければならないため、広い作業場所が必要になるとともにナットを締めるための専用冶具が必要になる。
【００１１】
さらに縦割りにすることも記載されてるがその場合には、ガイド溝を形成する枠も分割されているため、振れ止め部材の通過範囲での突合せとなるため段差などが生じ易く、引掛かりや抵抗あるいは磨耗による粉塵の発生が懸念される。
【００１２】
本願発明はこのような点に基づいてなされたもので、その目的とするところは、クリーンルーム等において十分な作業スペースが無い場所でも、施工ができるとともに容易に施工作業ができるような大型引戸を提供することにある。
【課題を解決するための手段】
【００１３】
上記課題を解決するべく本願の請求項１による大型引戸パネルは、
床レールを有さず、開口の左右下端にガイド部材を配設する大型の上吊引戸において、大型引戸パネルは縦割りに分割された分割引戸パネルからなり、各分割引戸パネルの上辺両端に吊金具を設け、分割引戸パネルの突合せ面には接続枠が設けられており、各分割引戸パネルの下辺にはガイド部材に案内される大型引戸パネルの巾と同一長さでかつ分割引戸パネルと床面との隙間から配設できるガイド枠を設けたことを特徴とするものである。
【００１４】
又、請求項２によると請求項１記載の大型引戸パネルにおいて、
分割引戸パネルは吊り下げられた状態で下辺は下方に開く略コ字状断面とし、該断面の下端両端部には分割引戸パネルと床面の隙間よりも低い高さの略コ字状のガイド枠が嵌入配設されることを特徴とするものである。
【００１５】
又、請求項３による大型引戸パネルの施工方法は、請求項１または２記載の大型引戸パネルにおいて、
各分割引戸パネルをレールに吊り込みした状態において各分割引戸パネルを突合わせて接続枠により接続するとともにガイド枠を設置することを特徴とするものである。
【発明の効果】
【００１６】
以上述べたように、請求項１に記載された大型引戸パネルによると、
床レールを有さず、開口の左右下端にガイド部材を配設する大型の上吊引戸において、大型引戸パネルは縦割りに分割された分割引戸パネルからなり、各分割引戸パネルの上辺両端に吊金具を設け、分割引戸パネルの突合せ面には接続枠が設けられており、各分割引戸パネルの下辺にはガイド部材に案内される大型引戸パネルの巾と同一長さでかつ分割引戸パネルと床面との隙間から配設できるガイド枠を設けたので、分割引戸パネルを単体で吊り込みした後に、分割引戸パネルが直立した状態で接続することができるとともにガイド枠を取付けることができる。
【００１７】
また、ガイド枠を大型引戸パネルと同一長さで接続するので、振れ止め部材の通過範囲においてガイド枠の突合せ箇所が無く、大型引戸パネルの開閉において振れ止め部材に案内されて走行する際の抵抗や係止あるいは磨耗による粉塵の発生するおそれも無い。
【００１８】
また、請求項２記載の大型引戸パネルによると、
分割引戸パネルは吊り下げられた状態で下辺は下方に開く略コ字状断面とし、該断面の下端両端部には分割引戸パネルと床面の隙間よりも低い高さの略コ字状のガイド枠が嵌入配設されるので、分割引戸パネルが直立した状態において引戸パネルと床面の隙間から容易に配設することができる。
【００１９】
又、請求項３記載の大型引戸パネルの施工方法によると、
各分割引戸パネルをレールに吊り込みした状態において各分割引戸パネルを突合わせて接続枠により接続するとともにガイド枠を設置することができるので、床に置いた状態での接続作業としないので広い作業スペースを要せず、狭い場所や機材が置いてあるような場所、または開口の両脇付近に搬送車両のガード用ポール等がドアパネルを壁と挟むように埋設されていることで出来上がりの引戸パネルをそのまま正面から設置することができない場所での施工に好適である。
また、分割されている引戸パネルを吊り込むため、吊り込み時において全体の略半分の重量となり軽量化されるとともに全体の略半分の巾であるために取り扱いが容易である。
さらに、床置きの場合には裏側にネジ固定する際に必要となる大型引戸パネルを裏返す作業を要しないので接続作業が容易である。
【図面の簡単な説明】
【００２０】
【図１】本願発明の第１実施の形態にかかる大型引戸パネルを示す外観正面図である。
【図２】本願発明の第１実施の形態にかかる大型引戸の施工手順を示す模式図である。
【図３】図１における３−３断面図である。
【図４】図１における４−４断面図である。
【図５】本願発明の第１実施の形態にかかるガイド枠の取付け手順を示す図である。
【図６】引戸パネル下部の展開斜視図である。
【図７】従来のパネル接続方法を示す模式図である。
【図８】従来の引戸パネル下部構造を示す断面図である。
【発明を実施するための形態】
【００２１】
以下、図１乃至図６を参照して、本願発明の一実施の形態を説明する。
図1は大型引戸パネルを示す外観正面図である。
大型引戸パネル４は上吊レール５に吊下げられて設置されるもので、上吊レール５は壁１の表面に設けられ上吊レール５の下方には壁１に設けられる開口３があり、開口３にはパッキンを備えた開口枠（図示せず）が設置されている。
【００２２】
開口３の下端には引戸パネルの振れを抑える振れ止め部材６、７が戸先側と戸尻側の両端に設置されており、該振れ止め部材６、７を挟むように大型引戸パネル４の下端表裏にはガイド枠８、１２が設けられている。なお、図中左側を戸先とし、右側を戸尻側としている。
【００２３】
大型引戸パネル４は分割パネル１６、１７を突合せた状態であり、これらを接続する部材として接続枠１８および大型引戸パネル４の表側と裏側でガイド枠８、１２により接続されている。
【００２４】
なお、戸先側の分割パネル１６には、上辺の両端に吊金具１９、１９が設けられており、分割状態であっても上吊レール５に吊り下げられることができる。
【００２５】
同様に戸尻側の分割パネル１７にも上辺の両端に吊金具１９、１９を設けており上吊レール５に吊り下げることができる。
【００２６】
本実施例において分割パネル１６は戸先側としているため、緩衝ゴム２０と引手２１が設けられている。
【００２７】
なお、上記吊金具１９は高さの調整機能を有しており、吊り込み後に各分割パネル１６、１７の高さ位置を調整することができる。
【００２８】
ガイド枠８、１２は大型引戸パネル４の巾と同一長さとしており、開閉において大型引戸パネル４の略全域が戸尻側の振れ止め部材７を通過する。
【００２９】
また各分割パネル１６、１７は４辺をフレーム枠２２、２３で矩形に組まれており、フレーム枠２２、２３で囲われた内方には発泡体や、ハニカムなどの芯材２４を埋め込み、その表面に肉厚約０．５ミリ程度のスチールなどによる表面材２５を貼り付けたサンドイッチパネルとして構成（図３参照）されている。
【００３０】
図２は大型引戸の施工手順を示す模式図である。
（Ａ）〜（Ｃ）に従って分割パネル１６、１７を接続一体化して大型引戸パネル４とする手順の概要を説明する。
先ず、（Ａ）に示すように分割パネル１６、１７をそれぞれ分割パネル１６、１７に設けた吊金具１９で上吊レール５に設置する。
次に（Ｂ）に示すように分割パネル１６、１７を移動させて突合せるとともに接続枠１８で接続する。
最後に（Ｃ）に示すようにガイド枠８、１２を分割パネル１６、１７の下端に差込み固定して、分割されていた分割パネル１６、１７を一体化させて大型引戸パネル４とする。これらの手順に従って以下詳細に後述する。
【００３１】
図３は図１における３−３断面図である。
接続枠１８は断面Ｈ形状をなしており、分割パネル１６、１７を接続枠１８の凹部１８ａ、１８ｂに挿入したのち接続枠１８とフレーム枠２２をネジ固定して各分割パネル１６、１７を接続するものである。
本図では接続枠１８を予め分割パネル１７のフレーム枠２２にネジ固定して取付けられており、分割パネル１６を接続枠１８の凹部１８ａに挿入して突き合わせたのちに接続枠１８をフレーム枠２２にネジ固定して接続する。これらの作業は予めレール５に吊り下げられた状態で行うことができるので、床置きの場合には裏側にネジ固定する際に必要となる大型引戸パネルを裏返す作業を要しない。
【００３２】
図４は図１における４−４断面図である。
各分割パネル１６、１７はレール５に吊り下げられた状態にあって各分割パネル１６、１７下端には表面材２５が貼着された略コ字状のフレーム枠２３が下方に開いた状態で配設されているとともにフレーム枠２３に挟まれるように振れ止め部材６、７が床に固定されている。
このフレーム枠２３の表側（分割引戸パネル１６、１７の厚さ方向で壁１と反対側）の縁部２３ａにはガイド枠８が、パッキン９と該パッキン９を押さえる板材１０と供にフレーム枠２３の縁部２３ａを挟むようにしてネジ８ｃで固定されている。ガイド枠８は引戸パネルの内方側のリブ８ａが厚く形成されており、該リブ８ａにネジ８ｃが締結されている。
【００３３】
同様に分割パネル１６、１７の裏側である縁部２３ｂにガイド枠１２が、パッキン１３と該パッキン１３を押える板材１４と供にフレーム枠２３の縁部２３ｂを挟むようにしてネジ１２ｃで固定されている。ガイド枠１２は分割パネル１６、１７の内方側のリブ１２ａが厚く形成されており、該リブ１２ａにネジ１２ｃが締結されている。
リブ８ａ１２ａはともにネジ８ｃ、１２ｃの締結に対して十分な厚みを有しており確実な締結力を保持できる。
【００３４】
図５はガイド枠の取付け手順を示す図である。
図５の（Ａ）に示すようにガイド枠８、１２には予めパッキン９、１３とパッキン９、１３を押える板材１０、１４を仮固定のネジ８ｄ、１２ｄで全固定箇所のうち数箇所で固定してガイド部材１１が小組みされている。仮固定のネジ８ｄ、１２ｄはガイド枠8、１２の溝部8ｅ、１２ｅに突出しない長さで、縁部２３ａ、２３ｂに差込む際に干渉しない長さである。
【００３５】
これを分割パネル１６、１７と、床２の隙間から差込むとともに図５の（Ｂ）に示すように他に設けられているネジ穴８ｂ、１２ｂにネジ８ｃを締込み固定する。その後、仮固定のネジ８ｄ、１２ｄを表面材２５とフレーム枠２３を貫通する長さのネジ８ｃ、１２ｃと差替えてフレーム枠２３に固定する。
【００３６】
図６は引戸パネル下部の展開斜視図である。
裏側のガイド枠については表側と対象に表れるため省略してある。
ガイド枠８にはパッキン９とこれを押える板材１０がネジ８ｄで一体に小組みされており、ネジ穴は略２００ミリの間隔で設けられている。ネジ８ｄは穴の全てに設けず、小組みできる数箇所だけである。
【００３７】
なお、パッキン９のネジ貫通部（図６参照）には上下に長穴が形成されているので、ネジ８ｃを緩めることによりパッキン９を上下調整可能にできる。
また、大型引戸パネルの巾と同じ長さで構成しているので突合せ部がなく、で振れ止め部材との抵抗や係止などのおそれが無い。
【００３８】
尚、本願発明は前記一実施の形態に限定されるものではない。
例えば、分割パネルは２枚に限らず３枚構成でもよい。
【符号の説明】
【００３９】
４    大型引戸パネル
５    上吊レール
６、７  振れ止め部材
８、１２  ガイド枠
１１、１５  ガイド部材
１６、１７  分割引戸パネル
１８  接続枠
２３  フレーム枠
【図１】
2015158068.tif 000003
【図２】
2015158068.tif 000004
【図３】
2015158068.tif 000005
【図４】
2015158068.tif 000006
【図５】
2015158068.tif 000007
【図６】
2015158068.tif 000008
【図７】
2015158068.tif 000009
【図８】
2015158068.tif 000010